(57)【特許請求の範囲】
【請求項１】
本体部と、
前記本体部に対して開閉自在に、且つ、開閉軸に対する垂直軸を回動中心として回動自在に支持され、片面にタッチパネル手段を備える開閉部と、
前記開閉部の開閉状態と前記タッチパネル手段の設けられた方向とを検知する検知手段と、
前記開閉部が閉状態、且つ、前記タッチパネル手段が表側を向いていることを前記検知手段が検知したときに、前記タッチパネル手段への操作入力に基づく制御を可能にする制御手段と
を備える制御装置。
【請求項２】
前記開閉部が開状態であることを前記検出手段が検知したときに、前記制御手段は前記タッチパネル手段への操作入力に基づく制御を不可能にする
請求項１に記載の制御装置。
【請求項３】
映像信号を入力する入力手段と、
前記映像信号を表示するファインダ部とを更に備え、
前記タッチパネル手段が表側を向いていることを前記検出手段が検出したときに、前記制御手段は前記ファインダ部に前記映像信号を表示させる
請求項２に記載の制御装置。
【請求項４】
前記開閉部が閉状態、且つ、前記タッチパネル手段が裏側を向いていることを、前記検出手段が検出したときに、前記制御手段は前記タッチパネル手段への操作入力に基づく制御を不可能にする
請求項１に記載の制御装置。
【請求項５】
片面にタッチパネル手段を備える開閉部が本体部に対して開閉自在に、且つ、開閉軸に対する垂直軸を回動中心として回動自在に支持され、
検知手段によって前記開閉部の開閉状態と前記タッチパネル手段の設けられた方向とを検知し、
制御手段によって前記開閉部が閉状態、且つ、前記タッチパネル手段が表側を向いていることを前記検知手段が検知したときに、前記タッチパネル手段への操作入力に基づく制御を可能にする
制御装置における制御方法。
【請求項６】
前記開閉部が開状態であることを前記検出手段が検知したときに、前記制御手段によって前記タッチパネル手段への操作入力に基づく制御を不可能にする
請求項５に記載の制御装置における制御方法。
【請求項７】
前記入力手段によって映像信号を入力し、
前記ファインダ部によって前記映像信号を表示し、
前記タッチパネル手段が表側を向いていることを前記検出手段が検出したときに、前記制御手段によって前記ファインダ部に前記映像信号を表示させる
請求項６に記載の制御装置における制御方法。
【請求項８】
前記開閉部が閉状態、且つ、前記タッチパネル手段が裏側を向いていることを、前記検出手段が検出したときに、前記制御手段によって前記タッチパネル手段への操作入力に基づく制御を不可能にする
請求項５に記載の制御装置における制御方法。
【発明の詳細な説明】
【０００１】
【発明が属する技術分野】
本発明は、本体部に対して回動自在に設けられた開閉部に所謂タッチパネルを備えた、ビデオカメラ等の制御装置及び制御装置における制御方法に関する。
【０００２】
【従来の技術】
制御装置、例えば、ビデオカメラにおいて、本体部に対して回動自在に支持されると共に、液晶表示パネルによる映像表示ユニットを有する開閉部に所謂タッチパネルが設けられたものがある。上記開閉部はヒンジユニットによって支持されて、本体部に対して回動自在、即ち、開位置と閉位置との間を回動すると共に回転可能になっている。
【０００３】
また、タッチパネルは通常、液晶表示パネルの表面に貼り付けられた状態となっている。
【０００４】
【発明が解決しようとする課題】
ところで、上記従来のタッチパネルを有するビデオカメラにおいては、開閉部が開いた状態の時は、タッチパネルを操作することが可能であった。
【０００５】
従って、例えば、開閉部が、閉位置から開ききった状態（約９０度開いた状態）の時、タッチパネルを指等で押圧することによって操作すると、その押圧力によるモーメントが開閉部を支持するヒンジユニットに伝わって、ヒンジユニットの構造によってはこれが過大なモーメントとなってヒンジユニットを破損させることがあった。
【０００６】
また、直ぐにはヒンジユニットが破損しないまでも、ヒンジユニットのガタを助長したりして、開閉部の使用感を損なってしまうという問題があった。
【０００７】
ヒンジユニットの剛性を上げることによって、上記使用状態に耐え得る構造とすることは可能であるが、一般的には、剛性を上げるとヒンジユニットが大きく、且つ、重くなって、小型化されたビデオカメラには不向きとなってしまう。
【０００８】
本発明は、上記問題点に鑑み、本体部に対して回動自在に設けられた開閉部にタッチパネルが設けられたビデオカメラ等の制御装置及び制御装置における制御方法において、タッチパネルを操作することによる開閉部を支持するヒンジユニットへの悪影響を排除することを課題とする。
【０００９】
【課題を解決するための手段】
上記課題を解決するために、本発明制御装置は、本体部と、本体部に対して開閉自在に、且つ、開閉軸に対する垂直軸を回動中心として回動自在に支持され、片面にタッチパネル手段を備える開閉部と、開閉部の開閉状態とタッチパネル手段の設けられた方向とを検知する検知手段と、開閉部が閉状態、且つ、タッチパネル手段が表側を向いていることを検知手段が検知したときに、タッチパネル手段への操作入力に基づく制御を可能にする制御手段とを備えるものである。
【００１０】
また、本発明制御装置における制御方法は、片面にタッチパネル手段を備える開閉部が本体部に対して開閉自在に、且つ、開閉軸に対する垂直軸を回動中心として回動自在に支持され、検知手段によって開閉部の開閉状態とタッチパネル手段の設けられた方向とを検知し、制御手段によって開閉部が閉状態、且つ、タッチパネル手段が表側を向いていることを検知手段が検知したときに、タッチパネル手段への操作入力に基づく制御を可能にするものである。
【００１１】
従って、タッチパネル手段は、開閉部が特定の状態に在るときのみ操作可能になる。
【００１２】
【発明の実施の形態】
以下に、本発明制御装置及び制御装置における制御方法をビデオカメラに適用した実施の形態について、添付図面を参照して説明する。
【００１３】
ビデオカメラ１は、図１及び図２に示すように、本体部２及び該本体部２に回動自在に支持された開閉部である液晶表示（ＬＣＤ）パネル３から成る。
【００１４】
尚、図１は、後述するタッチパネルの使用時の状態を示すものであり、図２は、電子ビューファインダを使用しない場合の一般的な撮影状態を示すものである。
【００１５】
本体部２の前面には、撮影レンズ４や図示しないマイクロフォン（内蔵マイク）等が配置され、後面には、ファインダ部である所謂電子ビューファインダ（以下、「ＥＶＦ」と略記）５、操作スイッチ６等が配置されている。
【００１６】
ＬＣＤパネル３は、液晶表示（ＬＣＤ）ユニット７及びタッチパネル８を有し、図１に示すＬＣＤユニット７とタッチパネル８の表示面が露出した面（以下、「表示部」）３ａが表側に向けて閉じた状態や、図２に示す表示部３ａが見えるように開いた状態にすることができるように、ヒンジユニット９によって本体部２に支持されている。
【００１７】
また、ＬＣＤパネル３は、図３に断面構造を示すように、バックライト７ａとＬＣＤパネル７ｂが積層されて成るＬＣＤユニット７の上に、スペーサ１０、１０を間に挟んで適宜な空間を設けるようにしてタッチパネル８が配置されて成り、ＬＣＤユニット７がヒンジユニット９に取着される。
【００１８】
尚、ＬＣＤユニット７及びタッチパネル８は、広く知られた公知のものであるので、これらについての詳しい説明は省略する。また、タッチパネルには様々な方式のものがあり、タッチパネル８の方式は特に限定されるものではないが、本発明においては、例えば、抵抗膜方式のものが用いられている。
【００１９】
ヒンジユニット９は、図４乃至図７に示すように、本体部２に取り付けられるチルトベース１１と、該チルトベース１１に固定されたチルト軸１２に回動自在に支持された回転ベース１３と、中空の回転軸１４を介して上記回転ベース１３の中央部分に回転自在に支持されたＬＣＤユニット取付板１５等によって構成される。
【００２０】
尚、ＬＣＤユニット取付板１５には上記ＬＣＤユニット７が取着され、これによって、ＬＣＤパネル３全体が支持されるようになっている。
【００２１】
上記チルトベース１１には弧状のスリット１１ａ、１１ａが設けられ、該スリット１１ａ、１１ａに回転ベース１３の突起１３ａ及び段付ネジ１３ｂがそれぞれ嵌合している。従って、回転ベース１３の回動（チルト）に伴って、スリット１１ａ、１１ａ内で突起１３ａ及び段付ネジ１３ｂがそれぞれ摺動し、これによって、回転ベース１３をチルトベース１１に対して、チルト軸１２を中心として約９０度の範囲で回動可能としている。
【００２２】
また、ＬＣＤユニット取付板１５に取着固定された回転軸１４は、図６及び図７に示すように、回転ベース１３を貫通した後に、先端部分にロック板１６及び略Ｃ形をした止め輪１７が外嵌されて抜け止めが為されている。そして、ＬＣＤユニット取付板１５の回転時において、ロック板１６のロック片１６ａと回転ベース１３に固定された規制板１８とが嵌合することによって、ＬＣＤユニット取付板１５の回転を約２７０度の範囲、即ち、図２に示すＬＣＤパネル３を本体部２に対して約９０度開いた状態で、反時計回り方向に約１８０度、時計回り方向に約９０度回転するように規制する。尚、上記止め輪１７の下部には、後述する第２の検知手段を作動させるための押圧部１７ａが一体に設けられている。
【００２３】
ヒンジユニット９には、図５乃至図７に示すように、ＬＣＤパネル３の開状態又は閉状態を検知する為に第１の検知手段１９である押圧スイッチＳＷ１がチルトベース１１の上部に設けられていると共に、ＬＣＤパネル３が閉状態の時にタッチパネル８が設けられた側の向きを検知する為に、第２の検知手段２０である押圧スイッチＳＷ２が回転ベース１３の中央部の稍上方、即ち、回転軸１４の上方となる位置に設けられている。
【００２４】
第１の検知手段１９である押圧スイッチＳＷ１の被押圧片２１がチルトベース１１の切欠１１ｂから下方に突出し、ＬＣＤパネル３が閉じられたとき、即ち、図５に二点鎖線で示すように、本体部３取着されたチルトベース１１に対してチルト軸１２を中心として回転ベース１３やＬＣＤユニット取付板１５等が回動したときには、図７に示すように、上記被押圧片２１が回転ベース１３の上面１３ｃに当接して上方に押圧されてＯＮ信号を発するようになっている。
【００２５】
また、第２の検知手段２０である押圧スイッチＳＷ２の被押圧片２２も下方に突出し、ＬＣＤパネル３が図２に示す正常位置から１８０度回転したとき、即ち、図７に示すように、ＬＣＤユニット取付板１５の上下が逆になったときに、被押圧片２２が止め輪１７の押圧部１７ａと当接して上方に押圧されてＯＮ信号を発するようになっている。
【００２６】
尚、本来、上記第１の検知手段１９は、ＬＣＤパネル３の開閉状態を検知して、ＬＣＤユニット７とＥＶＦ５の映像の表示の切り替えを行うためのものであり、第２の検知手段２０は、対面撮影時等、ＬＣＤパネル３の上下の反転時ににおける表示映像の反転（１８０度回転）のためのものである。
【００２７】
図８は、ビデオカメラ１の構成を概略的に示すブロック図である。
【００２８】
即ち、撮影レンズ４及び内蔵マイク等の入力手段２３から入力された映像信号２４や音声信号２５はそれぞれ、映像入力部２６及び音声入力部２７によって適宜な処理が行われた後に、メモリ２８を経由して映像出力部２９及び音声出力部３０に送られ、記録手段３１に記録される。
【００２９】
また、ＬＣＤユニット７及びタッチパネル８から成る映像表示部３２とＥＶＦ５は、第１の検知手段１９及び第２の検知手段２０からの検知信号３３、３４に応じて、制御手段（マイコン）３５によって、動作が制御されるようになっている。
【００３０】
ところで、ビデオカメラ１は、図２に示すように、上記記録手段３１として所謂小型の光磁気ディスク（所謂ミニディスク＝ＭＤ）カートリッジを使用するものであり、従って、ＭＤカートリッジ３１は、ＬＣＤパネル３を開いた状態で図示しない蓋を開いて、本体部２の底面側から挿入するようになっている。
【００３１】
ビデオカメラ１は、タッチパネル８を用いて、指や入力ペン３６によって、ＬＣＤパネル３のＬＣＤユニット７に表示された擬似的な操作スイッチ等を押圧して、映像再生時における各種操作や編集作業、自由曲線による文字や絵の入力操作を行えるようにしたものである。
【００３２】
尚、タッチパネル８による上記入力操作は、図１に示す状態（以下、「使用状態」という。）の時のみ行えるようになっている。即ち、上記使用状態とは、本体部２からＬＣＤパネル３を開いて反時計回り方向に１８０度回転させた後に閉じた状態である。
【００３３】
前述したように、ビデオカメラ１は、第１の検知手段１９及び第２の検知手段２０であるＳＷ１及びＳＷ２によってＬＣＤパネル３の状態を検知して、制御手段３５によってタッチパネル８及びＥＶＦ５の動作を制御するようになっている。制御手段３５による制御は以下の場合に為される。
【００３４】
即ち、第１の検知手段１９（ＳＷ１）によってＬＣＤパネル３が開状態（ＳＷ１がＯＦＦ）であることが検知されたときには、制御手段３５がＥＶＦ５に表示を行わないように制御する。これは、撮影時及び記録手段３１に記録された映像信号や音声信号の再生時においてＬＣＤパネル３が開いていると、映像のモニターはＬＣＤユニット７の表示によって行えるので、ＥＶＦ５は通常使用しないからである。
【００３５】
また、第２の検知手段２０（ＳＷ２）によって、ＬＣＤパネル３が使用状態（図１の状態）、つまり、タッチパネル８が表側となる向きでＬＣＤパネル３が閉じられた状態（ＳＷ１及びＳＷ２が共にＯＮ）であることが検知されたときには、制御手段３５はタッチパネル８を操作可能な状態とするように制御する。この状態の時は、主として、記録手段３１に記録された映像信号や音声信号をＬＣＤユニット７に表示して見る再生時と、タッチパネル８からの入力によって、再生を行いながら映像信号や音声信号に対して適宜な編集操作を行う状態である。
【００３６】
更に、第２の検知手段２０（ＳＷ２）によって、タッチパネル８が裏側となる向きにＬＣＤパネル３が位置していること、つまり、図２に示す状態から約９０度回動させて閉じた状態（ＳＷ１がＯＮ、ＳＷ２がＯＦＦ）であることが検知されたときには、制御手段３５はタッチパネル８を操作不可能な状態とするように制御する。尚、当然のことながら、この状態の時には、ＬＣＤパネル３による映像の表示等も行わないように制御される。
【００３７】
以下の表１にＳＷ１及びＳＷ２のＯＮ又はＯＦＦの状態を組み合わせた時のタッチパネル８及びＥＶＦ５の状態を示す。
【００３８】
【表１】
0004264574.tif 000002
【００３９】
上記表１に示すように、タッチパネル８が使用可能な状態とされるのは、ＳＷ１及びＳＷ２が共にＯＮの時のみである。この時のヒンジユニット９及びＳＷ１及びＳＷ２の状態は図７に示すとおりである。
【００４０】
図５は、上記した制御手段３５によるタッチパネル８及びＥＶＦの制御時における処理過程を示すものである。
【００４１】
即ち、STEP 1において、ＳＷ１（第１の検知手段１９）がＯＮか否かの判断が為され、ＯＮの場合は次のSTEP 2に進む。尚、ＳＷ１がＯＦＦの場合は何の処理も行わずに終了する。
【００４２】
STEP 2においては、ＳＷ２がＯＮ過否かの判断が為される。ＳＷ２がＯＦＦの場合は、ＥＶＦ５をＯＮにした後に処理を終了するが、ＳＷ２がＯＮの場合は、タッチパネル８を使用可能な状態とした後にSTEP 3に進む。
【００４３】
STEP 3においては、タッチパネル８による編集操作が有るか否かの判断が為される。編集操作が無い場合はそのまま処理を終了するが、編集操作が有る場合にはメモリ２８内に読み込んだ映像信号や音声信号に対してタッチパネル８による適宜な編集操作を行えるようにする。
【００４４】
このように、ビデオカメラ１は、ＬＣＤパネル３の状態を、ヒンジユニット９に設けられた第１の検出手段（ＳＷ１）１９及び第２の検出手段（ＳＷ２）２０によって、本体部２に対して閉じた状態か否か、ＬＣＤパネル３の表示部３ａが表側を向いた状態、即ち、反時計方向に１８０度回転した状態か否かを検出するようにしたものである。尚、ＳＷ１及びＳＷ２は元々、ＬＣＤパネル３のＬＣＤユニット７とＥＶＦ５との映像表示の切り替えのため及び対面撮影時におけるＬＣＤユニット７の表示映像を反転させるために設けられているものであるが、本発明は、これを上記目的のために用いるようにしたものである。
【００４５】
従って、本発明においては、ビデオカメラ１が元々有する機構を他の目的に併用するようにしたので、ＬＣＤパネル３の状態を検知するための機構を新たに設ける必要が無く、スペース的にもコスト的にも有利である。
【００４６】
また、ＳＷ１及びＳＷ２が共にＯＮの状態の時、即ち、本体部２からＬＣＤパネル３を開いて反時計回り方向に１８０度回転させた後に閉じた状態（図１）の時のみ、タッチパネル８が使用できる用にしたので、ＬＣＤパネル３が開いた状態でタッチパネル８を使用することによって、ＬＣＤパネル３を支えるヒンジユニット９に過大な負荷を与えることが無くなり、ヒンジユニット９のガタや破損といった悪影響を排除することが可能となる。そのため、ヒンジユニット９にはＬＣＤパネル３を支えるために必要十分な強度を持たせるだけでよいので、ビデオカメラ１全体のの小型化、軽量化に貢献するすることも可能となり、しかも、コスト的にも有利となる。
【００４７】
尚、上記実施の形態においては、本発明を記録手段にＭＤカートリッジを用いたビデオカメラに適用したものを示したが、本発明は記録手段の種類に限定されるものではなく、本体部に対して回動自在に支持されたＬＣＤパネルと、そのＬＣＤパネルに各種方式のタッチパネルを設けた各種方式のビデオカメラに広く適用できるものである。
【００４８】
また、ＬＣＤパネルが開いた状態で適宜な操作を行うためにＬＣＤパネルを押圧することによるＬＣＤパネルを支持するヒンジユニット等への悪影響を防止するという本発明の目的に照合すると、タッチパネル有するものだけではなく、極めた一般的な押圧スイッチ等による操作部をＬＣＤパネル有するものに対して本発明の要部を適用することも可能である。
【００４９】
尚、前記実施の形態において示した各部の具体的な形状及び構造は、何れも本発明を実施するに当たっての具体化のほんの一例を示したものに過ぎず、これらによって本発明の技術的範囲が限定的に解釈されることがあってはならないものである。
【００５０】
【発明の効果】
以上に説明したように本発明制御装置は、本体部と、本体部に対して開閉自在に、且つ、開閉軸に対する垂直軸を回動中心として回動自在に支持され、片面にタッチパネル手段を備える開閉部と、開閉部の開閉状態とタッチパネル手段の設けられた方向とを検知する検知手段と、開閉部が閉状態、且つ、タッチパネル手段が表側を向いていることを検知手段が検知したときに、タッチパネル手段への操作入力に基づく制御を可能にする制御手段とを備えるので、使用者にタッチパネル手段を使用させたい状態の時のみに使用させることが可能となって、例えば、開閉部を支持する部分にタッチパネル手段の操作による負荷が懸かるのを防止することができるようになる。
【００５１】
また、本発明制御装置における制御方法は、片面にタッチパネル手段を備える開閉部が本体部に対して開閉自在に、且つ、開閉軸に対する垂直軸を回動中心として回動自在に支持され、検知手段によって開閉部の開閉状態とタッチパネル手段の設けられた方向とを検知し、制御手段によって開閉部が閉状態、且つ、タッチパネル手段が表側を向いていることを検知手段が検知したときに、タッチパネル手段への操作入力に基づく制御を可能にするので、使用者にタッチパネル手段を使用させたい状態の時のみに使用させることが可能となって、例えば、開閉部を支持する部分にタッチパネル手段の操作による負荷が懸かるのを防止することができるようになる。
【図面の簡単な説明】
【図１】図２と共にビデオカメラの全体像を示すものであり、本図は開閉部を開いたときの状態を示す斜視図である。
【図２】タッチパネル手段の使用時の状態を示す斜視図である。
【図３】開閉部の構造を概略的に示す拡大縦断面図である。
【図４】図５乃至図７と共にヒンジユニットの構造を拡大して示すものであり、本図は下方から見た状態を示す平面図である。
【図５】開閉部の開閉動作に伴う動きを示す、上方より見た状態の平面図である。
【図６】開閉部が閉じたときの状態を示す側面図である。
【図７】開閉部が図２に示す時における状態を示す側面図である。
【図８】ビデオカメラの回路構成を概略的に示すブロック図である。
【図９】制御部による制御動作を示すフローチャート図である。
【符号の説明】
１…制御装置、２…本体部、３…開閉部、５…ファインダ部、８…タッチパネル手段、１９…第１の検知手段、２０…第２の検知手段、２３…入力手段、２４…映像信号、２５…音声信号、３１…記録手段、３５…制御手段
【図１】
0004264574.tif 000003
【図２】
0004264574.tif 000004
【図３】
0004264574.tif 000005
【図４】
0004264574.tif 000006
【図５】
0004264574.tif 000007
【図６】
0004264574.tif 000008
【図７】
0004264574.tif 000009
【図８】
0004264574.tif 000010
【図９】
0004264574.tif 000011